(57)【特許請求の範囲】
【請求項１】
合成樹脂製コンテナの表示ラベルを貼付する部位に貼着するベースシートであって、
前記ベースシートは、開き目を有するシート状物層、合成樹脂製フィルム層及び粘着剤層の順に積層一体化されてなるものであり、
前記シート状物層は、横断面が扁平であるスプリットファイバーで構成された割布で形成されており、
前記粘着剤層によって前記部位に貼着されることを特徴とする合成樹脂製コンテナに貼着するベースシート。
【請求項２】
シート状物中に耐候剤が含有されている請求項１記載の合成樹脂製コンテナに貼着するベースシート。
【請求項３】
粘着剤層面に剥離紙が積層されてなる請求項１記載の合成樹脂製コンテナに貼着するベースシート。
【請求項４】
請求項１記載のベースシートを、その側面に貼着した合成樹脂製コンテナ。
【発明の詳細な説明】
【技術分野】
【０００１】
本発明は、合成樹脂製コンテナに貼着するベースシートに関し、特に商品内容や送り先等の表示ラベルを貼付するコンテナの部位に下地として貼着するベースシートに関するものである。
【背景技術】
【０００２】
従来より、各種飲料品や食料品等の配送や宅配に合成樹脂製コンテナが用いられている。このコンテナは、商品内容や配送先への送り状等の表示ラベルが、その側面に粘着剤によって貼付されて用いられるのが一般的である。そして、配送先から回収されたコンテナは、再利用のために、貼付されている表示ラベルを剥がし、新たな商品を収納すると共に新たな配送先に向けて新たな表示ラベルを貼付して配送される。かかる利用方法において、貼付されている表示ラベルを剥がしにくいという問題点があった。これは、コンテナの側面が合成樹脂であるため、平滑な面となっているからである。
【０００３】
このため、表示ラベルが貼付されるコンテナの側面の部位に梨子地加工（凹凸加工）を施すことが行われている。これにより、貼付されている表示ラベルが剥がしやすくなるのである。しかるに、何度も表示ラベルを剥がしていると、梨子地加工面に粘着剤が沈積し、洗浄しても粘着剤が残りやすく、コンテナが黒ずんで汚染された状態となり、コンテナの寿命が短くなるという欠点があった。また、粘着剤が残っていると、結局、コンテナの側面の部位が凹凸が少なくなり、貼付した表示ラベルを剥がしにくくなるという欠点もあった。さらに、コンテナの特定の部位に梨子地加工を施すという作業が必要となり、コンテナの製造が合理的でないという欠点もあった。
【０００４】
かかる欠点を解決するために、表示ラベルを貼付するコンテナの側面に、弾性突起を設けたベースシートを貼着することが提案されている（特許文献１）。特許文献１に記載されたベースシートは図１に示す如き形状のものである（特許文献１の図２を参照）。すなわち、図１は、ベースシートの側面図を示したものであり、１はベースシートで２は弾性突起である。そして、弾性突起が設けられている反対面の平坦部３には、粘着剤（図示せず）が塗布されてなるものである。かかるベースシート１をコンテナの特定部位に粘着剤にて貼着し、このベースシート１の弾性突起面にラベルを貼付すれば、表示ラベルは弾性突起２の頂部で貼着されているだけなので、剥がしやすくなるというものである。
【０００５】
【特許文献１】特開２００１−２９４８２３号公報
【発明の概要】
【発明が解決しようとする課題】
【０００６】
しかしながら、特許文献１で提案されているベースシートは、弾性突起２の頂部のみで表示ラベルと貼付されているため、貼付面積が小さく、剥がしやすい反面、使用時に表示ラベルが剥がれてしまうという欠点があった。また、合成樹脂製コンテナが折り畳みコンテナである場合には、コンテナの折り畳み時において、表示ラベルが貼付されている側面同士が重ね合わされたり、折り畳まれたりし、その際に表示ラベルが剥がれてしまうという欠点もあった。
【０００７】
本発明の課題を上記欠点を解決することにあり、具体的には、合成樹脂製コンテナに貼付した表示ラベルを剥がしやすく、しかも合成樹脂製コンテナの使用時等においても表示ラベルが剥がれにくいベースシートを提供することにある。
【課題を解決するための手段】
【０００８】
本発明は、ベースシートの表面に開き目を有するシート状物を用いて上記課題を解決したものである。すなわち、本発明は、合成樹脂製コンテナの表示ラベルを貼付する部位に貼着するベースシートであって、前記ベースシートは、開き目を有するシート状物層、合成樹脂製フィルム層及び粘着剤層の順に積層一体化されてなるものであり、前記シート状物層は、横断面が扁平であるスプリットファイバーで構成された割布で形成されており、前記粘着剤層によって前記部位に貼着されることを特徴とする合成樹脂製コンテナに貼着するベースシートに関するものである。
【０００９】
本発明に係るベースシートは、基本的に、図２の如き層構造になっている。すなわち、表面から、シート状物層１１、合成樹脂製フィルム層１２、粘着剤層１３及び剥離紙１４の順に積層されてなるものである。シート状物層１１と合成樹脂製フィルム層１２の間には、両者を接着させるための接着剤層（図示せず）が介在していてもよい。
【００１０】
シート状物層１１を構成するシート状物としては、開き目を有するものであり、割布１５よりなるものである。割布１５は、スプリットファイバー１６で構成されており、このスプリットファイバー１６の相互間に開き目１７が存在する。この開き目１７は、使用時に歪みにくいものが好ましい。割布１５の場合は開き目１７が歪むことが少ない。
【００１１】
割布１５を構成しているスプリットファイバー１６は、その横断面が偏平となっている。この理由は、シート状物層１１表面に表示ラベルが貼付されるので、表示ラベルとの接触面積を高め、表示ラベルが剥がれにくくなるようにするためである。たとえば、スプリットファイバー１６の横断面が円形であると、表示ラベルと接触するのは円形の頂部のみになり、使用時において表示ラベルが剥がれやすくなる。特に、割布１５としては、ＪＸ日鉱日石エネルギー株式会社製のＬＸ１４（品番）が好適に用いられる。
【００１２】
シート状物層１１は、透明であっても不透明であってもよい。透明である方が、合成樹脂製コンテナの側面になんらかの印刷が施してある場合、その印刷を隠蔽しないため好ましい。また、シート状物層１１中に、耐候剤を含有させて不透明としてもよい。合成樹脂製コンテナは、野積みされることも多いため、シート状物層１１の劣化を防止するためである。耐候剤としては、従来公知の紫外線吸収剤等が用いられ、カーボンブラック、チタンホワイト、ベンゾフェノン系化合物、サリチル酸エステル系化合物、トリアゾール系化合物又はアクリロニトリル系化合物等が用いられる。
【００１３】
シート状物層１１には、合成樹脂製フィルム層１２が接着されている。合成樹脂製フィルムとしては、ポリエチレンフィルム、ポリプロピレンフィルム、ポリエステルフィルム又はポリアミドフィルム等が用いられる。また、この合成樹脂製フィルムは、シート状物と同様の理由で、透明であっても不透明であってもよい。この合成樹脂製フィルムとシート状物とを接着させる方法としては、以下の如き種々の方法がある。（１）シート状物にＴダイによる押出し合成樹脂製フィルムを直接ラミネートする方法、（２）シート状物と別途準備した合成樹脂製フィルムとの間に、Ｔダイによる接着性フィルムを挿入して、シート状物と合成樹脂製フィルムとを接着する方法、（３）シート状物と合成樹脂製フィルムとを積層した後に加熱して、いずれか又は両者を軟化させて接着する方法、（４）シート状物と合成樹脂製フィルムとの間に、接着剤を介在させて、両者を接着する方法等が挙げられる。合成樹脂製フィルム層１２が設けられているのは、粘着剤層１３を全面に設けるためである。したがって、合成樹脂製フィルムは穿孔されたものではなく、実質的に無孔のものが用いられる。粘着剤層１３を全面に設けることにより、合成樹脂製コンテナの側面に強固に貼着されるのである。
【００１４】
粘着剤層１３は、合成樹脂製フィルム層１２の全面に塗布されている。粘着剤としては、従来公知の感圧性接着剤が用いられ、たとえばアクリル系粘着剤、ポリウレタン系粘着剤又は酢酸ビニル系粘着剤等が用いられる。粘着剤層１３の露出面には剥離紙１４が接合されているのが一般的である。剥離紙１４としても、従来公知のものが用いられ、表面にシリコーン処理した紙やフィルム等が用いられる。そして、使用時には、剥離紙１４が除去されて、粘着剤層１３によって、合成樹脂製コンテナの側面に貼着されるのである。
【００１５】
本発明に係るベースシートは、合成樹脂製コンテナの側面の特定部位２１や２２に、粘着剤層１３によって貼着される。そして、貼着されたベースシート表面に表示ラベルを貼付するのである。本発明に係るベースシートは、表面の突起で表示ラベルと貼付しているのではなく、表面に存在する平坦面で表示ラベルと貼付しているものである。したがって、貼付されている面積が大きく、使用時に表示ラベルが剥離しにくくなっている。平坦面の割合は概ね５０〜８０％程度であり、７０％前後であるのが好ましい。
【００１６】
ベースシート表面に表示ラベルが貼付された後、コンテナは配送先等に配送され、その後回収される。そして、表示ラベルをベースシートから剥がした後、新たな表示ラベルを貼付して再び配送され、回収される。このような配送及び回収が繰り返され、合成樹脂製コンテナが汚れると、合成樹脂製コンテナが洗浄される。かかる洗浄の際、本発明に係るベースシートは剥がしてもよいし、剥がさなくてもよい。本発明に係るベースシートは、突起を有するものではないので、高圧水を用いて洗浄しても、突起が潰れるということがない。また、粘着剤層１３が全面に設けられて、合成樹脂製コンテナの側面に強固に接着されているので、洗浄時に脱落することも少ない。したがって、洗浄時に剥がさなくても差し支えなく、ベースシートを長期間に亙って使用しうるものである。
【発明の効果】
【００１７】
本発明に係るベースシートは、表示ラベルの貼付面に開き目が存在している。したがって、表示ラベルを剥がす際には、この開き目に指爪を挿入して剥がせば、容易に剥がすことができる。また、ベースシートの開き目以外の箇所は、概ね平坦面となっている。したがって、表示ラベルとの貼付面積が大きいため、合成樹脂製コンテナの使用時において、表示ラベルが剥がれることを防止しうるという効果を奏する。
【図面の簡単な説明】
【００１８】
【図１】特許文献１記載のベースシートの模式的側面図である。
【図２】本発明の一例に係るベースシートの模式的側面図である。
【図３】本発明で用いる割布の一例を示す模式的表面図である。
【図４】合成樹脂製コンテナの模式的斜視図である。
【符号の説明】
【００１９】
１      特許文献１記載のベースシート
２      特許文献１記載のベースシートに設けられた弾性突起
３      特許文献１記載の弾性突起が設けられていない平坦部
１１    シート状物層
１２    合成樹脂製フィルム層
１３    粘着剤層
１４    剥離紙
１５    割布（シート状物層１１）
１６    スプリットファイバー
１７    開き目
２１    ベースシートが貼着される合成樹脂製コンテナ部の部位
２２    ベースシートが貼着される合成樹脂製コンテナ部の部位
【図１】
0006493967.tif 000002
【図２】
0006493967.tif 000003
【図３】
0006493967.tif 000004
【図４】
0006493967.tif 000005